(57)【特許請求の範囲】
【請求項１】
スラットカーテンの下縁に装着される水切板の座部に手掛孔を形成しているシャッタ用スラットカーテンの水切板構造において、前記手掛孔の周囲における座部の上下面には、手掛孔に沿った保護孔を板面に有する保護カバーを構成する上下一対のカバー部材が固定され、一方のカバー部材から突出した嵌合突起が、水切板の座部を貫通して反対側に突出し、他方のカバー部材に形成した嵌合孔に嵌合して、手掛孔の縁を上下から覆うように構成されていることを特徴とするシャッタ用スラットカーテンの水切板構造。
【請求項２】
上記嵌合突起は、その先端に、相手側カバー部材の嵌合孔の縁に係合する抜け止め用フックを具備していることを特徴とする請求項１に記載のシャッタ用スラットカーテンの水切板構造。
【請求項３】
上記フックに係合する上記嵌合孔の縁には、上記嵌合突起の長手方向に段差を持った複数の係合部が形成されており、上記フックは、これら係合部に対応して、上記嵌合突起に複数設けられていることを特徴とする請求項２に記載のシャッタ用スラットカーテンの水切板構造。
【発明の詳細な説明】
【０００１】
【発明の属する技術分野】
本発明は、スラットカーテンの下縁に装着される水切板の座部に、フック棒の先端を掛け、或いは手を掛けてスラットカーテンを下ろす為の手掛孔を形成しているシャッタ用スラットカーテンの水切板構造に関するものである。
【０００２】
【従来の技術】
従来のシャッタ用スラットカーテンにおいては、その下縁に装着された水切板の座部に、フック棒の先端を掛け、或いは手を掛けてスラットカーテンを下ろす為の手掛孔を形成している。この手掛孔は、一般に、水切板の製造工程において、プレスによる打ち抜きにより形成されている。
【０００３】
【発明が解決しようとする課題】
ところで、手掛孔の内周には、その打ち抜き工程の際に、バリが発生することがあり、このバリは、プレス加工の関係で手掛孔の内周の上側又は下側のどちらかに発生する場合がある。この手掛孔内周のエッジ部、特にバリに、シャッタ開閉の操作の際手が触れると怪我をする虞がある。特に、シャッタ閉鎖の最終段階で、水切板の座部の上側に指先を掛けて、スラットカーテンを押し下げる操作が行われ、この際に手がエッジ部のバリに触れると、怪我をする虞がある。
そこで、本発明は、シャッタ開閉の際に、直接、手が手掛孔の内周エッジ特にバリに触れることがないようにしたシャッタ用スラットカーテンの水切板構造を提供しようとするものである。
【０００４】
【課題を解決するための手段】
上記本願の課題を解決するための手段を図示の実施の態様を参照して説明する。
【０００５】
請求項１の発明では、スラットカーテン２の下縁に装着される水切板３の座部３Ａに手掛孔４を形成しているシャッタ用スラットカーテンの水切板構造において、前記手掛孔４の周囲における座部３Ａの上下面には、手掛孔４に沿った保護孔５ａを板面に有する保護カバー５を構成する上下一対のカバー部材５Ａ，５Ｂが重合固定され、一方のカバー部材５Ａから突出した嵌合突起６が、水切板３の座部３Ａを貫通して反対側に突出し、他方のカバー部材５Ｂに形成した嵌合孔８に嵌合して、手掛孔４の縁を上下から覆うように構成されている。
【０００６】
また、請求項２の発明では、上記請求項１の発明において、上記嵌合突起６は、その先端に、相手側カバー部材５Ｂの嵌合孔８の縁に係合する抜け止め用フック６Ａ，６Ｂを具備していることを特徴としている。
【０００７】
またさらに、請求項３の発明では、請求項２の発明において、上記フック６Ａ，６Ｂに係合する上記嵌合孔８の縁には、上記嵌合突起６の長手方向に段差を持った複数の係合部８Ａ，８Ｂが形成されており、上記フック６Ａ，６Ｂは、これら係合部８Ａ，８Ｂに対応して、上記嵌合突起８に複数設けられていることを特徴としている。
【０００８】
上記各請求項の発明によれば、手掛孔４の内周エッジ部が、保護カバー５の保護孔５ａ（及び保護孔５ｂ）によって覆われているので、シャッタ開閉の際、そのエッジ部によって指先が怪我をするという事故が防止できる。また、シャッタを閉じた際の手掛孔４の周囲が保護カバー５によって覆われており商品価値の点でも優れている。
【０００９】
請求項１〜３の発明では、手掛孔４の周囲における水切板３の座部３Ａの上下面から、保護カバー５を構成する上下一対のカバー部材５Ａ，５Ｂを重合させることにより、嵌合突起６が嵌合孔８に嵌合し、保護カバー５の取り付けが容易となる。
【００１０】
この時、請求項３の発明では、座部３Ａの板厚に対応して、互いに係合する、複数の係合部８Ａ，８Ｂと複数のフック６Ａ，６Ｂの係合部分が上下に選択され、板厚が薄い場合にも、厚い場合にも対応でき、汎用性がある。なお、この場合の好ましい形として、嵌合突起６は、嵌合孔８の半径方向に弾性的に撓むために、筒状に、もしくは、スリット溝を形成しているとよい。
【００１１】
【発明の実施の形態】
図は、本発明の実施の形態を示し、基本的には、図１に示すように、シャッタ両側に設けた溝形ガイドレール１、１内に、スラットカーテン２の両端側を、摺動自在に挿入したもので、上記スラットカーテン２の最下端には、倒立Ｔ字形断面に折り曲げ形成された水切板３が装着されている。そして、この水切板３の座部３Ａには、シャッタの外側において、シャッタを閉鎖する時に、フック棒の先端を差し込み、あるいは、指を掛ける窓状の手掛孔４が打ち抜き等により形成されている。
【００１２】
この場合、この実施の形態では、手掛孔４の内周縁を覆うように、該手掛孔４の内周縁に沿った形状の保護孔５ａを有するプラスチック或いは金属の一体成形により形成される保護カバー５が、座部３Ａの上下から装着されている。しかして、この保護カバー５は、座部３Ａを上下から挟むように装着される上下一対のカバー部材５Ａ、５Ｂから構成され、各カバー部材５Ａ、５Ｂには、上記手掛孔４の内周縁を覆う保護孔５ａ，５ｂが形成されている。この上下の保護孔５ａ，５ｂの内周には、それぞれ手掛孔４の内周面内に突出して、手掛孔４の内周面を覆う周壁５ｃ，５ｄが一体に形成されている。そして、一方のカバー部材５Ａから突出した円筒状の嵌合突起６が、手掛孔４の脇で座部３Ａに形成した貫通孔７を貫通して、反対側に突出し、他方のカバー部材５Ｂに形成した嵌合孔８に嵌合しており、これによって、両カバー部材５Ａおよび５Ｂで、手掛孔４の縁を上下から覆っている。
【００１３】
また、嵌合突起６は、その先端に、相手側カバー部材５Ｂの嵌合孔８の縁に係合する抜け止め用フック６Ａを具備していて、水切板３の座部３Ａを、上下カバー部材５Ａおよび５Ｂで挟み付けた際、カバー部材５Ａおよび５Ｂを相互に連結固定することができる。更に、フック６Ａに係合する嵌合孔８の縁には、嵌合突起６の長手方向に段差を持った複数の係合部８Ａおよび８Ｂが形成されており、フック６Ａは、これら係合部８Ａおよび８Ｂに対応して、嵌合突起６の先端に複数、設けられている。
【００１４】
このような構成では、座部３Ａの上側からカバー部材５Ａを、手掛孔４に被せて、その保護孔５ａの周壁５ｃを手掛孔４に嵌合する。これによって、バリが発生する虞のある手掛孔４の上縁を、完全にカバーすることができる。この際、嵌合突起６は、手掛孔４の両側における座部３Ａに形成した貫通孔７に挿入され、その先端を座部３Ａの下側に突出しているが、この際、嵌合突起６の突出長さは、座部３Ａの厚さによって異なる。
【００１５】
そして、座部３Ａの下側から、カバー部材５Ｂが手掛孔４の下側に被せられると、その保護孔５ｂの周壁５ｄが手掛孔４に嵌合し、その下縁を、完全にカバーすることになる。また、同時に、カバー部材５Ｂの嵌合孔８には、嵌合突起６が嵌挿され、その先端のフック６Ａが、図５に示すように、嵌合孔８内周の下段係合部８Ａに係合するか、あるいは、フック６Ｂが、図６に示すように、上段係合部８Ｂに係合する。これは、座部３Ａの厚さの相違で、選択的に決定されることになる。すなわち、座部３Ａの板厚が厚い場合には図６に示すように上段係合部８Ｂに係合し、より薄い場合には図５に示すように下段係合部８Ａに係合する。
【００１６】
かくして、両カバー部材５Ａおよび５Ｂは、座部３Ａを挟んだ状態で、互いに固定連結される。なお、図６に示すように、フック６Ｂが上段係合部８Ｂに係合している状態では、フック６Ａが嵌合孔８の内周内にあり、嵌合突起６が半径方向に撓んだ状態となる。また、嵌合突起６は、この場合の好ましい形として、このような半径方向の撓みを容易にするために、筒状に、もしくは、図７に示すように、嵌合突起６の側面に筒体の端面から内方に半割溝状のスリット溝９を形成してもよい。このようにして、複数の、座部３Ａの厚さに対応して、カバー部材５Ａおよび５Ｂを装着できるように、汎用性が考慮されている。
【００１７】
また、この実施の形態においては、嵌合突起６を貫通させるための貫通孔７を座部３Ａに形成しているが、手掛孔４自体を長目に形成し、この手掛孔４の両端の部位で、嵌合突起６を座部３Ａの反対側に突出するように構成してもよい。
さらに、カバー部材５Ａおよび５Ｂは、カバー部材５Ｂを座部３Ａの上にしカバー部材５Ａを下にして装着させるようにしてもよい。
【００１８】
また、この実施の形態では、保護カバー５を上下一対のカバー部材５Ａおよび５Ｂで構成したが、一般に、プレス打ち抜きでは、手掛孔４の片側だけにバリが発生する点を考慮すると、バリが発生する虞のある座部３Ａの上縁が保護カバーで保護されていればよいのであるから、保護カバー５を、手掛孔４の片側上面だけで覆う１枚のカバー部材の構成だけにしてもよい。この場合には、保護カバー５に、座部３Ａの反対側で、例えば、手掛孔４の下縁に係合するような、フックなどを設けるとよい。また、保護カバー５の下面を、座部３Ａの上面に接着剤等による接着或いはスポット溶接等により溶着させるようにしてもよい。
【００１９】
【発明の効果】
本発明は、以上詳述したようになり、スラットカーテンの下縁に装着される水切板の座部に手掛孔を形成しているものにおいて、上記手掛孔の内周縁を覆う保護カバーを、少なくとも手掛孔の片側上面から固設したので、シャッタ開閉の際に、特に、閉鎖の最終段階で、直接、手が手掛孔の内周縁部に触れる虞がなく、バリ等による指先の怪我を回避できる。また、スラットカーテンの水切板の美観を保持させることができ商品価値を向上できる。
【００２０】
また、上記保護カバーを、プラスチックの一体成形品よりなる上下一対のカバー部材から構成し、一方のカバー部材から突出した嵌合突起を、水切板の座部を貫通して反対側に突出させ、他方のカバー部材の嵌合孔に嵌合して、手掛孔の縁を上下から覆うように構成することにより、更に、上記嵌合突起の先端に、相手側カバー部材の嵌合孔の縁に弾性的に係合する抜け止め用フックを具備していることにより、上記座部へのカバーの取付を容易にすることができる。
【００２１】
また、上記フックに係合する上記嵌合孔の縁に、上記嵌合突起の長手方向に段差を持った複数の係合部を形成し、上記フックを、これら係合部に対応して、上記嵌合突起に複数、設けることで、更に、嵌合突起を、嵌合孔の半径方向に弾性的に撓むように、筒状に、もしくは、スリット溝を形成することで、座部４の厚さが相違する水切板に対して、共通のカバーを採用できるという汎用性を発揮できる。
【図面の簡単な説明】
【図１】本発明の実施の形態としてのシャッタの構成を概略的に示す図である。
【図２】同じく、要部を拡大して示す斜視図である。
【図３】同じく、カバーの平面図である。
【図４】同じく、カバーの底面図である。
【図５】同じく、取付状態の縦断側面図である。
【図６】同じく、別の取付状態の縦断側面図である。
【図７】本発明の別の実施の形態を示す要部の一部縦断側面図である。
【符号の説明】
１    ガイドレール
２    スラット
３    水切板、３Ａ    座部
４    手掛孔
５    保護カバー、５Ａ、５Ｂ    カバー部材、５ａ、５ｂ    保護孔、５ｃ、５ｄ    周壁
６    嵌合突起、６Ａ、６Ｂ    フック
７    貫通孔
８    嵌合孔、８Ａ、８Ｂ    係合部
９    スリット溝
【図１】
0003653866.tif 000002
【図２】
0003653866.tif 000003
【図３】
0003653866.tif 000004
【図４】
0003653866.tif 000005
【図５】
0003653866.tif 000006
【図６】
0003653866.tif 000007
【図７】
0003653866.tif 000008